(57)【特許請求の範囲】
【請求項１】
上面と左右の側面と前面を有すると共に、下面が開口し、かつシャッターカーテンを収納する大きさの矩形状のシャッターボックス部と、
前面板と左右の側面板と背面板と屋根板を備え、その左右の側面板と屋根板は背面板よりも突出し、その左右寸法、上下寸法が前記シャッターボックス部の左右寸法、上下寸法よりも大きい庇本体を備え、
この庇本体が前記シャッターボックス部に、前記左右の側面板の背面板よりも突出した部分が前記シャッターボックス部の左右の側面を覆い、かつ屋根板の背面板よりも突出した部分が前記シャッターボックス部の上面を覆うと共に、背面板がシャッターボックス部の前面を覆うように、着脱自在に取付けたことを特徴とするシャッター装置のシャッターボックス。
【請求項２】
シャッターボックス部の前面は、着脱自在な庇取付用点検板を備えている請求項１記載のシャッター装置のシャッターボックス。
【請求項３】
庇本体の前面板と背面板と左右の側面板とに亘って軒天板を取付けて中空部を構成し、この中空部に充填材が充填してある請求項１又は２記載のシャッター装置のシャッターボックス。
【発明の詳細な説明】
【０００１】
【発明の属する技術分野】
本発明は、建物に形成された窓、出入口等の開口部の室外側に用いるシャッター装置のシャッターボックスに関する。
【０００２】
【従来の技術】
建物の開口部の室外側に用いるシャッター装置としては、シャッターボックスと、このシャッターボックスの左右両端部分と連続した左右のガイドレールと、このガイドレールに沿って昇降すると共に、シャッターボックス内に巻き取り・繰り出し自在に設けたシャッターカーテンを備え、そのシャッターカーテンで開口部を遮蔽・開放するものが知られている。
【０００３】
前述のシャッター装置のシャッターボックスとして特開平１１−７１９７５号公報に示すものが提案されている。
このシャッターボックスは、シャッターカーテンを格納するシャッターボックス部と庇部を備え、シャッターボックス部が小型化、コンパクト化されても、庇部によって開口部から室内に入る太陽光線を低減できる。
【０００４】
【発明が解決しようとする課題】
前述のシャッターボックスは、シャッターボックス部の左右両端部における下部寄りにブラケットを取付け、このブラケットに庇本体を取付けて庇部とした形状である。
このようであるから、シャッターボックスを室外から見た時にシャッターボックス部の前面下部寄りに庇部が見え、シャッターボックス部と庇部が区別された外観であるので、外観の見栄えが悪いと共に、庇部を有しないシャッターボックスの外観と異なる。
【０００５】
また、シャッターボックス部の左右両端部にブラケットをそれぞれ取付け、この左右のブラケットに亘って庇本体を取付けるので、その庇本体の取付け作業が面倒で時間がかかる。
【０００６】
そこで、本発明は前述の課題を解決できるようにしたシャッター装置のシャッターボックスを提供することを目的とする。
【０００７】
【課題を解決するための手段】
第１の発明は、上面と左右の側面と前面を有すると共に、下面が開口し、かつシャッターカーテンを収納する大きさの矩形状のシャッターボックス部と、
前面板と左右の側面板と背面板と屋根板を備え、その左右の側面板と屋根板は背面板よりも突出し、その左右寸法、上下寸法が前記シャッターボックス部の左右寸法、上下寸法よりも大きい庇本体を備え、
この庇本体が前記シャッターボックス部に、前記左右の側面板の背面板よりも突出した部分が前記シャッターボックス部の左右の側面を覆い、かつ屋根板の背面板よりも突出した部分が前記シャッターボックス部の上面を覆うと共に、背面板がシャッターボックス部の前面を覆うように、着脱自在に取付けたことを特徴とするシャッター装置のシャッターボックスである。
【０００８】
第２の発明は、第１の発明において、シャッターボックス部の前面は、着脱自在な庇取付用点検板を備えているシャッター装置のシャッターボックスである。
【０００９】
第３の発明は、第１又は第２の発明において庇本体の前面板と背面板と左右の側面板とに亘って軒天板を取付けて中空部を構成し、この中空部に充填材が充填してあるシャッター装置のシャッターボックスである。
【００１０】
【作  用】
第１の発明によれば、シャッターボックス部の上面、左右側面、前面が庇本体によって覆われ、室外から見た時に庇本体が見えると共に、シャッターボックス部が見えないので、外観の見栄えが良いと共に、庇本体を備えないシャッターボックスと同様な外観とすることができる。
また、庇本体をシャッターボックス部に取付ければ良いので、その作業が容易である。
【００１１】
第２の発明によれば、庇本体を取り外した後に庇取付用点検板を取り外してシャッターボックス部内を点検できる。
【００１２】
第３の発明によれば、中空部に充填材を充填したので庇本体の剛性が強くなると共に、庇本体に雨が当った時の雨音を消音できる。
【００１３】
【発明の実施の形態】
図１はシャッターボックスの分解概略斜視図で、シャッターボックス部１０は上面板１１と左右の側面板１２と庇取付用点検板１３と左右の補強ブラケット１４を備えている。
前記左右の側面板１２間に亘って巻取軸１５が回転自在に取付けられ、この巻取軸１５にシャッターカーテン１６が巻掛けてある。このシャッターカーテン１６は多数のスラットを連結した形状である。
【００１４】
庇本体２０は前面板２１と左右の側面板２２と背面板２３と屋根板２４を備えている。
庇本体２０の左右寸法（左右の側面板２２間の寸法）はシャッターボックス部１０の左右寸法（左右の側面板１２間の寸法）よりも大きい。庇本体２０は左右の側面板２２がシャッターボックス部１０の左右の側面板１２、補強ブラケット１４を覆う。上面板１１に屋根板２４が接して上面板１１を覆う。庇本体２０の上下寸法は庇取付用点検板１３（シャッターボックス部１０）の上下寸法よりも大きく庇取付用点検板１３（シャッターボックス部１０の前面）を覆う。
【００１５】
前記上面板１１は図２に示すように横板１１ａと立上り板１１ｂで略Ｌ字形状で、横板１１ａの室内側部分下面と室外側部分下面に連結片１１ｃが相対向して横向きに一体的に設けてあり、室外側部に係止片１１ｄと係止溝部１１ｅが形成してある。
前記立上り板１１ｂが建物躯体３０の開口部３１の上縁部室外側面に固着具３２で取付けられる。
前述の開口部３１は窓としてある。
【００１６】
前記側面板１２は図２に示すように基板１２ａと突出板１２ｂで平面形状Ｌ字形状で、その突出板１２ｂの上横片１２ｃが前述の連結片１１ｃにビス等で固着される。
前記基板１２ａが取付板３３の受片３３ａに係止している。
この取付板３３は建物躯体３０の室外側面に固着具３４で固着される。
【００１７】
前記庇取付用点検板１３は図２に示すように縦板１３ａと上部横板１３ｂで略鉤形状で、その縦板１３ａの下端部に下部横板１３ｃが一体的に設けてあり、上部横板１３ｂに係止片１３ｄが下向きに一体的に設けてある。
縦板１３ａの上下中間の前面に鉤片１３ｅが一体的に設けてある。
前記上部横板１３ｂの端部が上面板１１の係止片１１ｄに係止すると共に、係止片１３ｄが上面板１１の係止溝部１１ｅに係止し、庇取付用点検板１３の上縁部分が上面板１１の先端縁部分に着脱自在に係止して連結してある。
【００１８】
前記補強板１４は縦板１４ａに上取付片１４ｂと下取付片１４ｃを一体的に設けた形状で、その縦板１４ａが側面板１２の突出板１２ｂの外面にビス１７で固着される。
前記上取付片１４ｂは上面板１１、庇取付用点検板１３よりも上方に突出している。
前記下取付片１４ｃは庇取付用点検板１３の縦板１３ａに接し、ビス３５で固着される。
【００１９】
前記開口部２１を形成する窓の窓枠は上枠３６と下枠（図示せず）と左右の縦枠３７を備え、その左右の縦枠３７の室外側部分にガイドレール３８が固着してある。
この左右のガイドレール３８に沿ってシャッターカーテン１６が昇降する。
【００２０】
前記庇本体２０の前面板２１は図２に示すように縦板２１ａと上取付片２１ｂと下取付片１２ｃを有する断面形状で、左右の側面板２２は前面板２１と同一断面形状で、前面板２１と左右の側面板２２は平面形状ほぼコ字状となっている。
前記背面板２３は縦板２３ａの上下中間に下向片２３ｂ、下端部には係止溝２３ｃ、取付片２３ｄがそれぞれ一体的に設けてある。
【００２１】
前記背面板２３の上端部分に天枠材２５がビス２６で固着してある。
この天枠材２５は縦板２５ａと横板２５ｂでほぼ鉤形状で、その横板２５ｂに下向片２５ｃが一体的に設けてある。
前記縦板２５ａが背面板２３の上端部分にビス２６で固着される。
前記屋根板２４は前面板２１、側面板２２、天枠材２５に亘って取付けてある。左右の側面板２２、屋根板２４は背面板２３よりも突出し、その突出した部分がシャッターボックス部１０の側面板１２、上面板１１を覆う。
【００２２】
前記前面板２１の下取付片２１ｃ、側面板２２の下取付片、背面板２３の係合溝２３ｃに亘って軒天板２７が取付けてあり、庇本体２０は中空部２８を有する板金形状で、その中空部２８に充填材２９、例えば発泡ウレタンなどの断熱材が充填してある。
【００２３】
前記庇本体２０は、背面板２３の下向片２３ｂを庇取付用点検板１３の鉤片１３ｅに係止して仮保持され、取付片２３ｄを下部横板１３ｃに載置してビス４０で固着される。
天枠材２５の横板２５ｂが補強ブラケット１４の上取付片１４ｂに載置し、かつビス４１で固着され、下向片２５ｃが上面板１１に当接している。
【００２４】
前記建物躯体３０の室外側面に外壁４２が取付けてある。
上面板１１、側面板１２の建物躯体寄り部分は外壁４２で覆われ、外壁４２よりも室外側に突出した部分が庇本体２０で覆われる。
【００２５】
【発明の効果】
請求項１に係る発明によれば、シャッターボックス部の上面、左右側面、前面が庇本体によって覆われ、室外から見た時に庇本体が見えると共に、シャッターボックス部が見えないので、外観の見栄えが良いと共に、庇本体を備えないシャッターボックスと同様な外観とすることができる。
また、庇本体をシャッターボックス部に取付ければ良いので、その作業が容易である。
【００２６】
請求項２に係る発明によれば、庇本体を取り外した後に庇取付用点検板を取り外してシャッターボックス部内を点検できる。
【００２７】
請求項３に係る発明によれば、中空部に充填材を充填したので庇本体の剛性が強くなると共に、庇本体に雨が当った時の雨音を消音できる。
【図面の簡単な説明】
【図１】本発明の実施の形態を示すシャッターボックスの分解概略斜視図である。
【図２】取付け状態の詳細縦断面図である。
【符号の説明】
１０…シャッターボックス部
１１…上面板
１２…側面板
１３…庇取付用点検板
１４…補強ブラケット
２０…庇本体
２８…中空部
２９…充填材。
【図１】
0003656227.tif 000002
【図２】
0003656227.tif 000003